(57)【特許請求の範囲】
【請求項１】
室外ユニット(１)と、その室外ユニット(１)上に載置された加湿ユニット(８)とを備えた加湿機能を有する空気調和機であって、
上記加湿ユニット(８)の底板(２)に結線用開口(２a)を設け、
上記室外ユニット(１)内の電装品箱(１１)と上記加湿ユニット(８)内の電装品とが上記結線用開口(２a)を経由して配線(６)により接続され、
上記室外ユニット(１)内に上記電装品箱(１１)の上側に上蓋(３,２５)を配置すると共に、
上記上蓋(３,２５)に上記加湿ユニット(８)の底板(２)の上記結線用開口(２a)に面する開口または切り欠き(３b,２５c)を設け、
上記室外ユニット(１)の上記上蓋(３)の開口または切り欠き(３b)の近傍に上記配線(６)を保持するための保持用爪(４,５)を設けたことを特徴とする加湿機能を有する空気調和機。
【請求項２】
請求項１に記載の加湿機能を有する空気調和機において、
上記室外ユニット(１)の上記上蓋(３)の開口または切り欠き(３b)の近傍に保護用カバー(７,９)を設けたことを特徴とする加湿機能を有する空気調和機。
【請求項３】
室外ユニット(１)と、その室外ユニット(１)上に載置された加湿ユニット(８)とを備えた加湿機能を有する空気調和機であって、
上記加湿ユニット(８)の底板(２)に結線用開口(２a)を設け、
上記室外ユニット(１)内の電装品箱(１１)と上記加湿ユニット(８)内の電装品とが上記結線用開口(２a)を経由して配線(６)により接続され、
上記室外ユニット(１)内に上記電装品箱(１１)の上側に上蓋(３,２５)を配置すると共に、
上記上蓋(３,２５)に上記加湿ユニット(８)の底板(２)の上記結線用開口(２a)に面する開口または切り欠き(３b,２５c)を設け、
上記室外ユニット(１)の上記上蓋(２５)の開口または切り欠き(２５c)の近傍に、上記電装品箱(１１)からの上記配線の先端部が取り付けられたコネクタ取付部(２０,３０)が配置されていることを特徴とする加湿機能を有する空気調和機。
【請求項４】
請求項３に記載の加湿機能を有する空気調和機において、
上記コネクタ取付部(２０)が樹脂製であることを特徴とする加湿機能を有する空気調和機。
【請求項５】
請求項３に記載の加湿機能を有する空気調和機において、
上記コネクタ取付部(３０)が板金製であることを特徴とする加湿機能を有する空気調和機。
【発明の詳細な説明】
【０００１】
【発明の属する技術分野】
この発明は、室内を加湿する加湿機能を有する空気調和機に関する。
【０００２】
【従来の技術】
従来、加湿機能を有する空気調和機としては、室内ユニット内の吸着材に吸着させた室内の水分をその吸着材から脱着して再び室内に供給するものがある。しかしながら、上記加湿機能を有する空気調和機では、室内ユニット内の吸着材の収納スペースが大きく取れないため、吸着材に蓄えられる水分量が限られ、加湿能力が十分でないという問題がある。
【０００３】
そこで、本出願人は、吸着材に吸着させた外気の水分をその吸着材から脱着して室内に供給することによって、外気から十分な水分量が得られる加湿機能を有する空気調和機を製作した。この加湿機能を有する空気調和機は、図１２に示すように、室内ユニット１０１と、室外ユニット１０２と、上記室外ユニット１０２の上部に配置された加湿ユニット１０３と、上記室内ユニット１０１と加湿ユニット１０３とを接続する加湿ホース１０４とを備えている。この加湿機能を有する空気調和機は、加湿ユニット１０３から加湿ホース１０４を介して室外ユニット１０１に加湿空気を供給して、室内を加湿する。なお、この加湿装置は、この発明を理解しやすくするために説明するものであって、公知技術ではなく、従来技術ではない。
【０００４】
上記加湿機能を有する空気調和機では、工場組立時、室外ユニット１０２の電装品箱(制御部)と加湿ユニット１０３の電装品とを配線により接続した状態で、室外ユニット１０２上に加湿ユニット１０３を固定して一体化している。
【０００５】
【発明が解決しようとする課題】
ところが、上記加湿機能を有する空気調和機では、組立時に、室外ユニット１０２上に載置した後、室外ユニット１０２の側面に設けられた穴から作業者が手を入れて、加湿ユニット１０３の底部から垂れ下がった配線を室外ユニット１０２内の電装品箱に接続するため、組立の作業性が悪いという欠点がある。
【０００６】
そこで、この発明の目的は、作業性を向上でき、組立て工数を削減できる加湿機能を有する空気調和機を提供することにある。
【０００７】
【課題を解決するための手段】
上記目的を達成するため、請求項１の加湿機能を有する空気調和機は、室外ユニットと、その室外ユニット上に載置された加湿ユニットとを備えた加湿機能を有する空気調和機であって、上記加湿ユニットの底板に結線用開口を設け、上記室外ユニット内の電装品箱と上記加湿ユニット内の電装品とが上記結線用開口を経由して配線により接続され、上記室外ユニット内に上記電装品箱の上側に上蓋を配置すると共に、上記上蓋に上記加湿ユニットの底板の上記結線用開口に面する開口または切り欠きを設け、上記室外ユニットの上記上蓋の開口または切り欠きの近傍に上記配線を保持するための保持用爪を設けたことを特徴としている。
【０００８】
上記請求項１の加湿機能を有する空気調和機によれば、組立時に上記室外ユニット内の電装品箱と上記加湿ユニット内の電装品とを配線により接続するとき、その配線を加湿ユニットの底板に設けられた結線用開口に通すことによって、加湿ユニットの上側から結線作業が可能となる。したがって、組立ての作業性を向上でき、組立て工数を削減できる。また、上記室外ユニットの電装品箱の上側に例えば板金製の上蓋を配置することによって、防炎対策を施すことができると共に、上記上蓋に設けられ、上記加湿ユニットの底板の上記結線用開口に面する開口(または切り欠き)に、上記室外ユニット内の電装品箱と上記加湿ユニット内の電装品とを接続する配線を通すことによって、加湿ユニットの上側から結線作業が可能となる。また、上記室外ユニットの上記上蓋の開口(または切り欠き)の近傍に設けられた上記保持用爪によって、上記配線を保持するので、簡単な構成で配線を固定できる。
【０００９】
【００１０】
【００１１】
【００１２】
【００１３】
また、請求項２の加湿機能を有する空気調和機は、請求項１の加湿機能を有する空気調和機において、上記室外ユニットの上記上蓋の開口または切り欠きの近傍に保護用カバーを設けたことを特徴としている。
【００１４】
上記請求項２の加湿機能を有する空気調和機によれば、上記上蓋の開口(または切り欠き)の近傍に設けられた上記保護用カバーによって、水滴の侵入を防ぐと共に、上記上蓋の開口(または切り欠き)の縁との接触により断線しないように配線を保護できる。
【００１５】
また、請求項３の加湿機能を有する空気調和機は、室外ユニットと、その室外ユニット上に載置された加湿ユニットとを備えた加湿機能を有する空気調和機であって、上記加湿ユニットの底板に結線用開口を設け、上記室外ユニット内の電装品箱と上記加湿ユニット内の電装品とが上記結線用開口を経由して配線により接続され、上記室外ユニット内に上記電装品箱の上側に上蓋を配置すると共に、上記上蓋に上記加湿ユニットの底板の上記結線用開口に面する開口または切り欠きを設け、上記室外ユニットの上記上蓋の開口または切り欠きの近傍に、上記電装品箱からの上記配線の先端部が取り付けられたコネクタ取付部が配置されていることを特徴としている。
【００１６】
上記請求項３の加湿機能を有する空気調和機によれば、組立時に上記室外ユニット内の電装品箱と上記加湿ユニット内の電装品とを配線により接続するとき、その配線を加湿ユニットの底板に設けられた結線用開口に通すことによって、加湿ユニットの上側から結線作業が可能となる。したがって、組立ての作業性を向上でき、組立て工数を削減できる。また、上記室外ユニットの電装品箱の上側に例えば板金製の上蓋を配置することによって、防炎対策を施すことができると共に、上記上蓋に設けられ、上記加湿ユニットの底板の上記結線用開口に面する開口(または切り欠き)に、上記室外ユニット内の電装品箱と上記加湿ユニット内の電装品とを接続する配線を通すことによって、加湿ユニットの上側から結線作業が可能となる。また、上記室外ユニットの上記上蓋の開口(または切り欠き)の近傍に配置された上記コネクタ取付部に、上記電装品箱からの上記配線の先端部を取り付け、上記加湿ユニットからの配線の先端部を上記コネクタ取付部に接続するので、作業性が向上する。
【００１７】
また、請求項４の加湿機能を有する空気調和機は、請求項３の加湿機能を有する空気調和機において、上記コネクタ取付部が樹脂製であることを特徴としている。
【００１８】
上記請求項４の加湿機能を有する空気調和機によれば、上記コネクタ取付部を立体構造にすることが容易な樹脂製とすることによって、例えば上記加湿ユニットの底板の結線用開口から上方に所定寸法だけ突出させることができ、加湿ユニットからの配線をコネクタ取付部に接続する作業性がさらに向上する。
【００１９】
また、請求項５の加湿機能を有する空気調和機は、請求項３の加湿機能を有する空気調和機において、上記コネクタ取付部が板金製であることを特徴としている。
【００２０】
上記請求項５の加湿機能を有する空気調和機によれば、上記コネクタ取付部を板金製とすることによって、コストを低減できる。
【００２１】
【発明の実施の形態】
以下、この発明の加湿機能を有する空気調和機を図示の実施の形態により詳細に説明する。
【００２２】
（第１実施形態）
図１はこの発明の第１実施形態の加湿機能を有する空気調和機の室外ユニット側の要部の斜視図である。図１では、底板２を除いて加湿ユニット８が取り外された状態を示している。なお、この加湿機能を有する空気調和機は、加湿ユニットと室外ユニットとの接続部の構成を除いて図１２に示す空気調和機と同様の構成をしている。
【００２３】
図１に示すように、室外ユニット１の上部に加湿ユニット８の底板２を取り付けている。上記底板２の右側面近傍に結線用開口２aを設けている。図１において、３は上記室外ユニット１内の電装品箱(図示せず)の上側を覆う板金製の上蓋であり、その上蓋３に配線６を保持するための保持用爪４,５を設けている。そして、上記室外ユニット１内の電装品箱(制御部)は、室外ユニット１の制御機能と加湿ユニット８の制御機能を有している。上記電装品箱からの配線６を結線用開口２aを経由して加湿ユニット８の電装品(モータ,ヒータ等)に接続し、上蓋３の保持用爪４,５により配線６を保持している。
【００２４】
図２は図１に示す加湿ユニット８の底板２と上蓋３を取り外した状態の斜視図を示しており、室外ユニット１のケーシング１０内の右側上部に電装品箱１１が配置されている。また、上記室外ユニット１のケーシング１０内の前面側に室外ファン(図示せず)用のベルマウス１３を配置し、ケーシング１０内の後面側および左側面側にＬ字形状の室外熱交換器１２を配置している。
【００２５】
また、図３(a)は上記上蓋３の上面図であり、図３(b)は上蓋３の正面図であり、図３(c)は上蓋３の右側面図である。この上蓋３は、図３(a)に示すように、略長方形の板部３aと、上記板部３aの右側後方のコーナー部に設けられたＬ字状の切り欠き３bと、上記板部３aの後方側に設けられた折り曲げ部３cと、上記板部３aの右側前方のコーナー部近傍に設けられた取付部３eとを有している。さらに、上記上蓋３には、切り欠き３bの後方側の縁に基部３dを立設し、その基部３dに所定の間隔をあけて保持用爪４,５を設けている。また、上記保持用爪４,５を覆うように保護用カバーとしての難燃性ポリエチレンからなる緩衝材９を保持用爪４,５に取り付けている。なお、図１,図４では、図を見やすくするために緩衝材９を省略している。
【００２６】
図４は上記上蓋３を室外ユニット１の電装品箱１１(図２に示す)の上側に取り付けた状態を示している。上記上蓋３は、取付部３eをケーシング１０の右側部にねじ(図示せず)により固定している。なお、上記上蓋３の切り欠き３b(図３に示す)の一部に難燃性塩化ビニルシートからなる保護用カバー７を取り付けている。
【００２７】
このように、上記加湿機能を有する空気調和機では、組立時に室外ユニット１内の電装品箱１１と加湿ユニット８内の電装品とを接続する配線６を加湿ユニット８の底板２に設けられた結線用開口２aに通すことによって、加湿ユニット８の上側から結線作業が可能となるので、組立ての作業性を向上でき、組立て工数を削減することができる。
【００２８】
また、上記室外ユニット１の電装品箱１１の上側に板金製の上蓋３を配置することによって、防炎対策を施すことができると共に、上記上蓋３に設けられた切り欠き３bに、電装品箱１１と加湿ユニット８内の電装品とを接続する配線６を通すことによって、加湿ユニット８の上側から結線作業が可能となる。
【００２９】
また、上記上蓋３の切り欠き３bの近傍に設けられた保持用爪４,５によって配線６を保持するので、簡単な構成で配線６を固定することができる。
【００３０】
また、上記保持用爪４,５により保持される配線６が上蓋３の切り欠き３bの縁との接触により断線しないように、保護用カバー７によって配線６を保護すると共に、水滴の侵入を防ぐことができる。また、上記保持用爪４,５を覆う緩衝材９によって、同様に配線６を保護することができる。
【００３１】
（第２実施形態）
図５はこの発明の第２実施形態の加湿機能を有する空気調和機の室外ユニット側の要部の斜視図である。図５では、底板２を除いて加湿ユニット８が取り外された状態を示している。なお、この第２実施形態の加湿機能を有する空気調和機は、コネクタ取付部と上蓋を除いて第１実施形態の空気調和機と同様の構成をしている。
【００３２】
図５に示すように、加湿ユニット８の底板２に設けられた結線用開口２aに対向するように、室外ユニット１内に樹脂製のコネクタ取付部２０を配置している。上記コネクタ取付部２０に電装品箱(図示せず)からの配線の先端部(コネクタ)を取り付けている。
【００３３】
図６(a)は上記コネクタ取付部２０の上面図であり、図６(b)は上記コネクタ取付部２０の側面図であり、図６(c)は上記コネクタ取付部２０を後方から見た裏面図である。このコネクタ取付部２０は、図６(a)に示すように、コネクタ部２１と、そのコネクタ部２１の底部に設けられた板部２２と、上記コネクタ部２１の底部の前方に設けられた固定部２３とを有し、上記コネクタ部２１にコネクタ取り付け穴２１a〜２１dを設けている。上記固定部２３は、電装品箱１１に固定される。
【００３４】
図７は図５に示す加湿ユニット８の底板２と上蓋を取り外した状態の斜視図を示しており、室外ユニット１のケーシング１０内に電装品箱１１が配置されている。
【００３５】
組立時、まず、上記電装品箱１１からの一方の配線の先端部(コネクタ)が取り付けられたコネクタ取付部２０を、底板２(図５に示す)の結線用開口２aに対向するようにケーシング１０内に取り付ける。
【００３６】
次に、図８に示す上蓋２５を電装品箱１１の上側に取り付け、その上蓋２５の取付部２５eをケーシング１０の右側部にねじ(図示せず)により固定する。
【００３７】
そして、図５に示すように、加湿ユニット８の底板２をケーシング１０上に載せて、加湿ユニット８の電装品(モータ,ヒータ等)に接続された他方の配線を結線用開口２aを通して、その他方の配線の先端部(コネクタ)をコネクタ取付部２０の対応するコネクタに接続する。
【００３８】
次に、上記加湿ユニット８を室外ユニット１に固定して一体化する。
【００３９】
図８(a)は電装品箱の上蓋２５の上面図であり、図８(b)は上蓋２５の正面図であり、図８(c)は上蓋２５の右側面図である。この上蓋２５は、図８(a)に示すように、略長方形の板部２５aと、上記板部２５aの右側後方のコーナー部に設けられた切り欠き２５bと、上記板部２５aの後方右側に設けられた切り欠き２５cと、上記板部２５aの後方側に設けられた折り曲げ部２５dと、上記板部２５aの右側前方のコーナー部近傍に設けられた取付部２５eとを有している。上記上蓋２５を取り付けるとき、切り欠き２５cに図７に示すコネクタ取付部２０が位置する。
【００４０】
この第２実施形態の加湿機能を有する空気調和機は、第１実施形態の加湿機能を有する空気調和機と同様の効果を有する。
【００４１】
また、上記室外ユニット１の上蓋２５の切り欠き２５c近傍に配置されたコネクタ取付部２０に、電装品箱１１からの一方の配線の先端部を取り付け、加湿ユニット８からの他方の配線の先端部をコネクタ取付部２０に接続するので、作業性がより向上する。
【００４２】
また、上記コネクタ取付部２０を立体構造にすることが容易な樹脂製とすることによって、加湿ユニット８の底板２の結線用開口２aの開口面にコネクタ取付部２０を近接させることが可能となり、接続作業性がさらに向上する。また、例えば、コネクタ取付部を加湿ユニットの底板の結線用開口から上方に所定寸法だけ突出させてもよく、この場合、作業性がより一層向上する。
【００４３】
（第３実施形態）
図９はこの発明の第３実施形態の加湿機能を有する空気調和機の室外ユニット側の要部の斜視図である。図９では、底板２を除いて加湿ユニット８が取り外された状態を示している。なお、この第３実施形態の加湿機能を有する空気調和機は、コネクタ取付部と上蓋を除いて第１実施形態の空気調和機と同様の構成をしている。
【００４４】
図９に示すように、加湿ユニット８の底板２に設けられた結線用開口２aに対向するように、室外ユニット１内に板金製のコネクタ取付部３０を配置している。上記コネクタ取付部３０に電装品箱(図示せず)からの一方の配線の先端部(コネクタ)を取り付けている。
【００４５】
図１０(a)は上記コネクタ取付部３０の上面図であり、図１０(b)はコネクタ取付部３０の正面図であり、図１０(c)はコネクタ取付部３０の右側面図である。このコネクタ取付部３０は、略長方形状の板部３１と、上記板部３１の後面側に設けられた折り曲げ部３２と、上記板部３１の右側に所定の間隔をあけて設けられた折り曲げ部３３,３４とを有し、上記板部３１にコネクタ取り付け穴３１a〜３１dを設けている。
【００４６】
図１１は図９に示す加湿ユニット８の底板２と上蓋を取り外した状態の斜視図を示しており、室外ユニット１のケーシング１０内に電装品箱１１が配置されている。
【００４７】
組立時、まず、上記電装品箱１１からの一方の配線の先端部(コネクタ)が取り付けられたコネクタ取付部３０を、底板２(図９に示す)の結線用開口２aに対向するようにケーシング１０内に取り付ける。
【００４８】
次に、図８に示す上蓋２５を電装品箱１１の上側に取り付け、その上蓋２５の取付部２５eをケーシング１０の右側部にねじ(図示せず)により固定する。
【００４９】
そして、図９に示すように、加湿ユニット８の底板２をケーシング１０上に載せて、加湿ユニット８の電装品(モータ,ヒータ等)に接続された他方の配線を結線用開口２aを経由してその他方の配線の先端部(コネクタ)をコネクタ取付部３０の対応するコネクタに接続する。
【００５０】
次に、上記加湿ユニット８を室外ユニット１に固定して一体化する。
【００５１】
この第２実施形態の加湿機能を有する空気調和機は、第１実施形態の加湿機能を有する空気調和機と同様の効果を有する。
【００５２】
また、上記室外ユニット１の上蓋２５の切り欠き２５c近傍に配置されたコネクタ取付部３０に、電装品箱１１からの一方の配線の先端部を取り付け、加湿ユニット８からの他方の配線の先端部をコネクタ取付部３０に接続するので、作業性がより向上する。
【００５３】
また、上記コネクタ取付部３０を板金製とすることによって、コストを低減することができる。
【００５４】
【発明の効果】
以上より明らかなように、請求項１の発明の加湿機能を有する空気調和機によれば、組立時に室外ユニット内の電装品箱と加湿ユニット内の電装品とを接続する配線を加湿ユニットの底板に設けられた結線用開口に通すことによって、加湿ユニットの上側から結線作業が可能となるので、組立ての作業性を向上でき、組立て工数を削減することができる。また、上記室外ユニットが上記電装品箱の上側に例えば板金製の上蓋を配置することによって、防炎対策を施すことができると共に、上記上蓋に加湿ユニットの底板の上記結線用開口に面する開口(または切り欠き)を設けて、その開口(または切り欠き)に室外ユニット内の電装品箱と加湿ユニット内の電装品とを接続する配線を通すことによって、加湿ユニットの上側から結線作業が可能となる。また、上記室外ユニットの上記上蓋の開口(または切り欠き)の近傍に設けられた上記保持用爪によって上記配線を保持するので、簡単な構成で配線を固定することができる。
【００５５】
【００５６】
【００５７】
また、請求項２の発明の加湿機能を有する空気調和機によれば、請求項１の加湿機能を有する空気調和機において、上記上蓋の開口(または切り欠き)の近傍に保護用カバーに設けることによって、水滴の侵入を防ぐと共に、上記上蓋の開口(または切り欠き)の縁との接触により断線しないように配線を保護することができる。
【００５８】
また、請求項３の発明の加湿機能を有する空気調和機によれば、組立時に室外ユニット内の電装品箱と加湿ユニット内の電装品とを接続する配線を加湿ユニットの底板に設けられた結線用開口に通すことによって、加湿ユニットの上側から結線作業が可能となるので、組立ての作業性を向上でき、組立て工数を削減することができる。また、上記室外ユニットが上記電装品箱の上側に例えば板金製の上蓋を配置することによって、防炎対策を施すことができると共に、上記上蓋に加湿ユニットの底板の上記結線用開口に面する開口(または切り欠き)を設けて、その開口(または切り欠き)に室外ユニット内の電装品箱と加湿ユニット内の電装品とを接続する配線を通すことによって、加湿ユニットの上側から結線作業が可能となる。また、上記室外ユニットの上記上蓋の開口(または切り欠き)の近傍に配置されたコネクタ取付部に、上記電装品箱からの一方の配線の先端部を取り付け、上記加湿ユニットからの他方の配線の先端部を上記コネクタ取付部に接続するので、作業性が向上する。
【００５９】
また、請求項４の発明の加湿機能を有する空気調和機によれば、請求項３の加湿機能を有する空気調和機において、上記コネクタ取付部を立体構造にすることが容易な樹脂製とすることによって、例えば、上記加湿ユニットの底板の結線用開口の開口面にコネクタ取付部を近接させたり、上記加湿ユニットの底板の結線用開口から上方に所定寸法だけ突出させたりすることができ、加湿ユニットからの配線をコネクタ取付部に接続する作業性がさらに向上する。
【００６０】
また、請求項５の発明の加湿機能を有する空気調和機によれば、請求項３の加湿機能を有する空気調和機において、上記コネクタ取付部を板金製とすることによって、コストを低減できる。
【図面の簡単な説明】
【図１】図１はこの発明の第１実施形態の加湿機能を有する空気調和機の室外ユニットの要部の斜視図である。
【図２】図２は上記室外ユニットの電装品箱の上側の上蓋を外した状態を示す斜視図である。
【図３】図３(a)は上記上蓋の上面図であり、図３(b)は上記蓋の正面図であり、図３(c)は上記蓋の右側面図である。
【図４】図４は図３に示す蓋を電装品箱の上部に取り付けた状態を示す斜視図である。
【図５】図５はこの発明の第２実施形態の加湿機能を有する空気調和機の室外ユニットの要部の斜視図である。
【図６】図６(a)はコネクタ取付部の上面図であり、図６(b)は上記コネクタ取付部の側面図であり、図６(c)は上記コネクタ取付部を後方から見た裏面図である。
【図７】図７は上記室外ユニットの電装品箱の上側の上蓋を外した状態を示す斜視図である。
【図８】図８(a)は上記上面図であり、図８(b)は上記蓋の正面図であり、図８(c)は上記蓋の右側面図である。
【図９】図９はこの発明の第３実施形態の加湿機能を有する空気調和機の室外ユニットの要部の斜視図である。
【図１０】図１０(a)はコネクタ取付部の上面図であり、図１０(b)は上記コネクタ取付部の正面図であり、図１０(c)は上記コネクタ取付部の右側面図である。
【図１１】図１１は上記室外ユニットの電装品箱の上側の上蓋を外した状態を示す斜視図である。
【図１２】図１２は従来の加湿機能を有する空気調和機の概略ブロック図である。
【符号の説明】
１…室外ユニット、
２…底板、
２a…結線用開口、
３,２５…上蓋、
３b,２５c…切り欠き、
４,５…保持用爪、
６…配線、
７…保護用カバー、
８…加湿ユニット、
９…緩衝材、
１０…ケーシング、
１１…電装品箱、
１２…室外熱交換器、
１３…ベルマウス、
２０,３０…コネクタ取付部。
【図１】
0003608491.tif 000002
【図２】
0003608491.tif 000003
【図３】
0003608491.tif 000004
【図４】
0003608491.tif 000005
【図５】
0003608491.tif 000006
【図６】
0003608491.tif 000007
【図７】
0003608491.tif 000008
【図８】
0003608491.tif 000009
【図９】
0003608491.tif 000010
【図１０】
0003608491.tif 000011
【図１１】
0003608491.tif 000012
【図１２】
0003608491.tif 000013